(57)【要約】【課題】簡単な構造ながら、流れを停止させることなく捕捉した浮遊物を容易にかつ確実に回収可能な浮遊物回収装置を提供する。【解決手段】水路５内に設置された２台の浮遊物捕捉ユニット１１、１５を交互に切換えることで流れを停止させることなく水路５内の浮遊物を回収する浮遊物回収装置１において、上流側に設置された浮遊物捕捉ユニット１１の浮遊物捕捉具１３は、支柱２１で回動可能に支持されており、浮遊物捕捉具１３を回動させる回動手段３０により、流れに直交な方向と並行な方向とに回動することで、浮遊物の捕捉と放出とを交互に行い、下流側に設置された浮遊物捕捉ユニット１５は、浮遊物捕捉具１７を水路５内外に移動させる移動手段８０を備え、浮遊物を回収する際、水路５外へ移動することで、流れを停止させることなく浮遊物の回収を容易にかつ確実に行うことができる。【選択図】図１
2014125755.tif 000002
【特許請求の範囲】
【請求項１】
浮遊物捕捉具を備える浮遊物捕捉ユニットを流路内に流れ方向に沿って２台設置し、前記２台の浮遊物捕捉ユニットを交互に切換えることで流れを停止させることなく流路内の浮遊物を回収する浮遊物回収装置において、
上流側に設置された前記浮遊物捕捉ユニットの前記浮遊物捕捉具は、回動軸で回動可能に支持された回動式捕捉具であり、
上流側に設置された前記浮遊物捕捉ユニットは、前記回動式捕捉具を回動させる回動手段を備え、
前記回動手段は、前記回動式捕捉具を流れに直交な方向と並行な方向とに回動させ、
下流側に設置された前記浮遊物捕捉ユニットは、浮遊物捕捉具を流路内外に移動させる移動手段を備え、
前記移動手段は、浮遊物を回収する際、前記浮遊物捕捉具を流路外へ移動させることを特徴とする浮遊物回収装置。
【請求項２】
上流側に設置された前記浮遊物捕捉ユニットは、複数の前記回動式捕捉具を備え、
前記回動手段は、全ての前記回動式捕捉具を同時に同方向へ回動させ、かつ前記回動式捕捉具を流れに並行な方向を基準として前記回動軸を中心に左右に９０度ずつ回動可能なことを特徴とする請求項１に記載の浮遊物回収装置。
【請求項３】
下流側に設置された前記浮遊物捕捉ユニットの前記浮遊物捕捉具は、流路内の浮遊物を捕捉する正面捕捉部と、前記正面捕捉部と同幅で下辺に回動可能に連結される底面捕捉部とを備え、
下流側に設置された前記浮遊物捕捉ユニットは、前記底面捕捉部を上下に回動させる上下回動手段を備え、
前記上下回動手段は、前記浮遊物捕捉具が流路外へ移動する際、前記底面捕捉部を前記正面捕捉部側に回動させ、捕捉した浮遊物の漏出を防止することを特徴とする請求項１又は２に記載の浮遊物回収装置。
【請求項４】
下流側に設置された前記浮遊物捕捉ユニットの前記浮遊物捕捉具は、流路外へ移動する際、全体の面積が小さくなるよう伸縮可能に構成されており、
下流側に設置された前記浮遊物捕捉ユニットは、前記浮遊物捕捉具を伸縮させる伸縮手段を備えることを特徴とする請求項１から３のいずれか１に記載の浮遊物回収装置。
【請求項５】
前記浮遊物捕捉ユニットの前記回動手段と前記移動手段と前記上下回動手段と前記伸縮手段とのうち少なくとも１つは、前記浮遊物捕捉具に設けられたフックと、前記フックに挿通される及び／又は固定されるワイヤと、前記ワイヤの巻取り及び繰出しを行う巻取手段とで構成され、
前記巻取手段は、前記ワイヤの巻取り及び繰出しを行うことで前記浮遊物捕捉具を動作させることを特徴とする請求項１から４のいずれか１に記載の浮遊物回収装置。
【発明の詳細な説明】
【技術分野】
【０００１】
本発明は、流れを停止させることなく浮遊物を捕捉して回収する浮遊物回収装置に関する。
【背景技術】
【０００２】
取水口には、流木やゴミ等の浮遊物の流入を防止するスクリーンが設けられており、さらにスクリーンの上流側には、小さなゴミや稚魚の流入を防止するネット等の浮遊物捕捉具が設けられている。浮遊物捕捉具は、スクリーンよりも小さなゴミを捕捉するので目が細かく、浮遊物が溜まりやすいため目詰まりを起こしやすく、捕捉した浮遊物を比較的短周期で回収する必要がある。
【０００３】
浮遊物の回収中は、浮遊物捕捉具が引き上げられるので、小さなゴミや稚魚が流入しないよう取水を停止しなければならない。そこで捕捉した浮遊物の除去を効率的に行う技術や取水を停止することなく浮遊物の回収を行う技術が提案されている（例えば特許文献１、２、３参照）。
【先行技術文献】
【特許文献】
【０００４】
【特許文献１】特開２００９−１６２０３２号公報
【特許文献２】特開２００８−２９１４４９号公報
【特許文献３】特開２０１１−１９６０７３号公報
【発明の概要】
【発明が解決しようとする課題】
【０００５】
特許文献１、２に代表されるような浮遊物を効率的に除去する装置は、浮遊物捕捉具の向きを変え、捕捉した浮遊物を水の流れを利用して下流側へ放出することで目詰まりを解消するものであり、浮遊物捕捉具の向きを変えている間は、浮遊物が取水口へ流入する恐れがある。
【０００６】
特許文献３のゴミ取り装置は、流れ方向に複数の昇降スクリーンが設けられたユニット構造であり、捕捉した浮遊物を交互に洗浄することで取水を停止することなく浮遊物を回収可能であるが、昇降用のモーターや洗浄水噴射機構、洗浄水の排水口を設ける必要があり、設置コストがかかる。さらに浮遊物が機器類の駆動部に絡みつく恐れや、浮遊物が装置の配管に詰まる恐れがある。
【０００７】
本発明の目的は、簡単な構造ながら、流れを停止させることなく捕捉した浮遊物を容易にかつ確実に回収可能な浮遊物回収装置を提供することである。
【課題を解決するための手段】
【０００８】
本発明は、浮遊物捕捉具を備える浮遊物捕捉ユニットを流路内に流れ方向に沿って２台設置し、前記２台の浮遊物捕捉ユニットを交互に切換えることで流れを停止させることなく流路内の浮遊物を回収する浮遊物回収装置において、上流側に設置された前記浮遊物捕捉ユニットの前記浮遊物捕捉具は、回動軸で回動可能に支持された回動式捕捉具であり、上流側に設置された前記浮遊物捕捉ユニットは、前記回動式捕捉具を回動させる回動手段を備え、前記回動手段は、前記回動式捕捉具を流れに直交な方向と並行な方向とに回動させ、下流側に設置された前記浮遊物捕捉ユニットは、浮遊物捕捉具を流路内外に移動させる移動手段を備え、前記移動手段は、浮遊物を回収する際、前記浮遊物捕捉具を流路外へ移動させることを特徴とする浮遊物回収装置である。
【０００９】
本発明によれば、上流側に設置された浮遊物捕捉ユニットは、回動式捕捉具が流れに直交な方向と並行な方向とに回動するので、捕捉した浮遊物を流体の流れを利用して下流側に設置された浮遊物捕捉ユニットへ放出し、浮遊物の回収作業は、下流側の浮遊物捕捉ユニットでのみ行えばよく、効率的である。また下流側の浮遊物捕捉ユニットは、浮遊物を回収する際、浮遊物捕捉具を流路外へ移動させるので、流れを停止させることなく回収作業を容易にかつ確実に行うことができる。このように構成される浮遊物回収装置は、構造が簡単である。
【００１０】
また本発明において、上流側に設置された前記浮遊物捕捉ユニットは、複数の前記回動式捕捉具を備え、前記回動手段は、全ての前記回動式捕捉具を同時に同方向へ回動させ、かつ前記回動式捕捉具を流れに並行な方向を基準として前記回動軸を中心に左右に９０度ずつ回動可能なことを特徴とする。
【００１１】
本発明によれば、回動手段は、全ての回動式捕捉具を同時に同方向へ回動させるので、効率が良く、構造が簡単である。さらに回動式捕捉具は、回動手段により流れに並行な方向を基準として前記回動軸を中心に左右に９０度ずつ回動可能なので、表裏両面で交互に浮遊物を捕捉可能であり、表面で浮遊物を捕捉している間に裏面に絡みついた浮遊物を流体の流れを利用して逆洗可能なため、浮遊物の捕捉と回動式捕捉具の洗浄とを効率的に行うことができる。
【００１２】
また本発明において、下流側に設置された前記浮遊物捕捉ユニットの前記浮遊物捕捉具は、流路内の浮遊物を捕捉する正面捕捉部と、前記正面捕捉部と同幅で下辺に回動可能に連結される底面捕捉部とを備え、下流側に設置された前記浮遊物捕捉ユニットは、前記底面捕捉部を上下に回動させる上下回動手段を備え、前記上下回動手段は、前記浮遊物捕捉具が流路外へ移動する際、前記底面捕捉部を前記正面捕捉部側に回動させ、捕捉した浮遊物を漏出させないことを特徴とする。
【００１３】
本発明によれば、下流側に設置された浮遊物捕捉ユニットの浮遊物捕捉具は、正面捕捉部と、回動可能な底面捕捉部とを備え、浮遊物捕捉具が流路外へ移動する際、上下回動手段により底面捕捉部が正面捕捉部側に回動され、捕捉した浮遊物の漏出を防止するので、捕捉した浮遊物を漏出させることなく確実に回収することができる。
【００１４】
また本発明において、下流側に設置された前記浮遊物捕捉ユニットの前記浮遊物捕捉具は、流路外へ移動する際、全体の面積が小さくなるよう伸縮可能に構成されており、下流側に設置された前記浮遊物捕捉ユニットは、前記浮遊物捕捉具を伸縮させる伸縮手段を備えることを特徴とする。
【００１５】
本発明によれば、下流側に設置された浮遊物捕捉ユニットの浮遊物捕捉具は、伸縮可能に構成されており、浮遊物捕捉ユニットは、浮遊物捕捉具を伸縮させる伸縮手段を備えるので、浮遊物捕捉具を移動、回収するための流路外に設けるスペースを小さくすることができる。
【００１６】
また本発明において、前記浮遊物捕捉ユニットの前記回動手段と前記移動手段と前記上下回動手段と前記伸縮手段とのうち少なくとも１つは、前記浮遊物捕捉具に設けられたフックと、前記フックに挿通される及び／又は固定されるワイヤと、前記ワイヤの巻取り及び繰出しを行う巻取手段とで構成され、前記巻取手段は、前記ワイヤの巻取り及び繰出しを行うことで前記浮遊物捕捉具を動作させることを特徴とする。
【００１７】
本発明によれば、回動手段と移動手段と上下回動手段と伸縮手段とのうち少なくとも１つは、浮遊物捕捉具に設けられたフックと、フックに挿通される及び／又は固定されるワイヤと、ワイヤの巻取り及び繰出しを行う巻取手段とで構成され、巻取手段は、ワイヤの巻取り及び繰出しを行うことで浮遊物捕捉具を動作させるので構造も簡単であり、作業者は、巻取手段を操作するだけでよく操作も簡単である。
【発明の効果】
【００１８】
本発明の浮遊物回収装置は、簡単な構造ながら、流れを停止させることなく捕捉した浮遊物を容易にかつ確実に回収することができる。このような浮遊物回収装置は、河川等に設置される取水口だけではなく、流体が流れる配管やダクト等にも適用することができ、流体の流れを停止することなく浮遊物の捕捉と回収とを行うことができる。
【図面の簡単な説明】
【００１９】
【図１】本発明の第１実施形態の浮遊物回収装置１の平面図である。
【図２】図１の上流側浮遊物捕捉ユニット１１の正面図である。
【図３】図１の上流側浮遊物捕捉ユニット１１の回動動作を示す平面図である。
【図４】図１の下流側浮遊物捕捉ユニット１５の正面図である。
【図５】図１の下流側浮遊物捕捉ユニット１５の浮遊物捕捉具１７の回動動作を示す斜視図である。
【図６】本発明の第２実施形態の浮遊物回収装置２の下流側浮遊物捕捉ユニット１６の伸縮動作を示す正面図である。
【図７】図６の下流側浮遊物捕捉ユニット１６の正面捕捉部４５の部分断面図である。
【発明を実施するための形態】
【００２０】
図１は、本発明の第１実施形態の浮遊物回収装置１の平面図である。図２は、図１の上流側浮遊物捕捉ユニット１１の正面図である。図３は、図１の上流側浮遊物捕捉ユニット１１の回動動作を示す平面図である。図４は、図１の下流側浮遊物捕捉ユニット１５の正面図である。図５は、図１の下流側浮遊物捕捉ユニット１５の浮遊物捕捉具１７の回動動作を示す斜視図である。
【００２１】
本発明の第１実施形態の浮遊物回収装置１は、上流側に設置される上流側浮遊物捕捉ユニット１１と、下流側に設置される下流側浮遊物捕捉ユニット１５とを備え、水路５の上流からの浮遊物（図示省略）を捕捉して回収し、下流への流出を防止する。
【００２２】
上流側浮遊物捕捉ユニット１１は、浮遊物を捕捉する回動式の浮遊物捕捉具１３と、浮遊物捕捉具１３を回動させる回動手段３０と、水路５の両岸６に設けられ回動手段３０の基礎となる堤体３９とで構成され、浮遊物の捕捉と放出とを交互に行う。
【００２３】
浮遊物捕捉具１３は、地中７に固定され回動軸となる支柱２１と、支柱２１に取付けられ、高さが満水位９よりも高い枠体２２と、枠体２２の全面に張られ浮遊物を捕捉するネット２３とで構成され、正面視において矩形状であり、水流に直交する向きに回動したときに水路５を遮蔽する配置で幅方向に５台、並設されている。
【００２４】
浮遊物捕捉具１３は、回動手段３０により枠体２２が水流に並行な方向を基準に支柱２１を中心として左右に９０度ずつ回動可能であり、枠体２２が水流に直交する向きに回動しているときにネット２３の上流側の面で浮遊物を捕捉する。
【００２５】
回動手段３０は、枠体２２の上部に設けられるフック３１と、フック３１に挿通され幅方向に亘って架設されるワイヤ３２と、左右それぞれの堤体３９に設置され、ワイヤ３２の巻取り及び繰出しを行う左ウインチ３３と右ウインチ３４とで構成され、左ウインチ３３又は右ウインチ３４を操作することで全ての浮遊物捕捉具１３を同時に同方向へ回動させることができる。また左ウインチ３３又は右ウインチ３４の操作を停止することで全ての浮遊物捕捉具１３を、左ウインチ３３又は右ウインチ３４の操作を停止した状態に保持することができる。
【００２６】
下流側浮遊物捕捉ユニット１５は、正面捕捉部４０と底面捕捉部５０とを有し、浮遊物を捕捉する浮遊物捕捉具１７と、底面捕捉部５０を上下に回動させる上下回動手段７０と、浮遊物捕捉具１７を幅方向に移動させる移動手段８０と、水路５の両岸６に設けられ上下回動手段７０と移動手段８０との基礎となる堤体９９とで構成され、浮遊物の捕捉と回収とを交互に行う。
【００２７】
浮遊物捕捉具１７は、浮遊物を捕捉する正面捕捉部４０と、捕捉した浮遊物を正面捕捉部４０とで挟持する底面捕捉部５０と、底面捕捉部５０を上下に回動可能に正面捕捉部４０に連結するヒンジ６０とで構成され、浮遊物を捕捉する際には、側面視においてＬ字状に設置され、浮遊物を挟持する際には、底面捕捉部５０を正面捕捉部４０の方向へ９０度、回動させる。
【００２８】
正面捕捉部４０は、左右に配設され、長さが満水位９よりも長い棒体４１と、棒体４１の上下に幅方向に亘って取付けられる支持ワイヤ４２とで矩形状に構成され、矩形部全面に張られ浮遊物を捕捉するネット４３を備え、浮遊物を捕捉する際には水路５を遮蔽するように配置される。正面捕捉部４０は、軽量化のため支持ワイヤ４２を用いているが、支持ワイヤ４２を用いずに矩形状の枠体（図示省略）を用いてもよい。
【００２９】
底面捕捉部５０は、正面捕捉部４０と同様に棒体５１と支持ワイヤ５２とネット５３とで構成され、正面捕捉部４０と下辺の支持ワイヤ４２（５２）を共用しており、正面捕捉部４０と同幅の矩形状に構成されている。底面捕捉部５０も正面捕捉部４０と同様に、軽量化のため支持ワイヤ４２（５２）を用いているが、支持ワイヤ４２（５２）を用いずに矩形状の枠体（図示省略）を用いてもよい。
【００３０】
底面捕捉部５０の棒体５１の長さは、正面捕捉部４０の底部近傍に溜まる浮遊物を挟持可能な長さであればよく、重量等を考慮し適宜決めればよい。また底面捕捉部５０のネット５３の目の大きさは、浮遊物を挟持し、かつ水路５の底部の砂が溜まらない大きさに適宜決めればよい。
【００３１】
ヒンジ６０は、底面捕捉部５０を上下に回動可能に左右の棒体４１と棒体５１とを連結する。またヒンジ６０の回動する角度は、９０度に規制されている。
【００３２】
上下回動手段７０は、正面捕捉部４０の左右の棒体４１の先端に設けられるフック７１と、底面捕捉部５０の左右の棒体５１の先端に設けられるフック７２と、左右のフック７１に挿通され左右のフック７２に固定される二股のワイヤ７３と、右側の堤体９９に設置され、ワイヤ７３の巻取り及び繰出しを行うウインチ７４と、ウインチ７４の巻取り及び繰出し方向を転換させる滑車７５とで構成され、ウインチ７４でワイヤ７３を巻取ることで底面捕捉部５０を持ち上げて正面捕捉部４０の方向へ回動させる。
【００３３】
移動手段８０は、上下回動手段７０と共用するフック７１と、左右のフック７１に固定され幅方向に亘って架設されるワイヤ８２と、左右それぞれの堤体３９に設置されワイヤ８２の巻取り及び繰出しを行う左ウインチ８３と右ウインチ８４と、左ウインチ８３と右ウインチ８４それぞれの巻取り及び繰出し方向を転換させる滑車８５とで構成され、左ウインチ８３又は右ウインチ８４を操作することで浮遊物捕捉具１７を幅方向に移動させる。
【００３４】
次に浮遊物回収装置１の作用について説明する。図３（ａ）は、上流側浮遊物捕捉ユニット１１の回動手段３０のワイヤ３２を左に巻取り、浮遊物捕捉具１３を左に９０度、回動させた状態を示す平面図である。図３（ｂ）は、ワイヤ３２を繰出すことで、水流により浮遊物捕捉具１３を水流と並行に回動させた状態を示す平面図である。図３（ｃ）は、ワイヤ３２を右に巻取り、浮遊物捕捉具１３を右に９０度、回動させた状態を示す平面図である。
【００３５】
また図５（ａ）は、下流側浮遊物捕捉ユニット１５の上下回動手段７０のワイヤ７３を繰出し、底面捕捉部５０が自重で下がった状態を示す斜視図である。図５（ｂ）は、ワイヤ７３を巻取り、底面捕捉部５０を持ち上げて正面捕捉部４０の方向へ回動させた状態を示す斜視図である。
【００３６】
浮遊物回収装置１の基本的な浮遊物の捕捉、回収操作は、上流側浮遊物捕捉ユニット１１で浮遊物の捕捉をし、上流側浮遊物捕捉ユニット１１に浮遊物が溜まると、これを放出して下流側浮遊物捕捉ユニット１５に送り、ここで再度捕捉し、浮遊物捕捉具１７を水路５の外に移動させ、捕捉した浮遊物を回収する。下流側浮遊物捕捉ユニット１５の浮遊物捕捉具１７を水路５の外に移動させるときは、上流側浮遊物捕捉ユニット１１で浮遊物の捕捉を行う。以降、同じ操作を繰り返しながら浮遊物の捕捉、回収を行う。
【００３７】
以下、上流側浮遊物捕捉ユニット１１及び下流側浮遊物捕捉ユニット１５の具体的な動作を説明する。
【００３８】
浮遊物を捕捉する際には、上流側浮遊物捕捉ユニット１１では、回動手段３０のワイヤ３２を左に巻取り、浮遊物捕捉具１３を左に回動させて水流に直交させ、浮遊物を捕捉する。下流側浮遊物捕捉ユニット１５では、移動手段８０のワイヤ８２を左に巻取り、浮遊物捕捉具１７を水路５の中に移動させる。また上下回動手段７０のワイヤ７２を繰出し、浮遊物捕捉具１７が側面視においてＬ字状となるように底面捕捉部５０を回動させ、浮遊物を捕捉する。
【００３９】
上流側浮遊物捕捉ユニット１１に浮遊物が溜まると、ワイヤ３２を繰出し、浮遊物捕捉具１３を水流に並行に回動させて浮遊物を放出させる。浮遊物が放出された後は、ワイヤ３２を右に巻取り、浮遊物捕捉具１３を右に回動させて水流に直交させ、再び浮遊物を捕捉する。ここで浮遊物捕捉具１３が左に回動されていたときにネット２３の上流側を向いていた面は、右に回動されたときに下流側を向くことで逆洗され、放出しきれなかった浮遊物が放出される。なお放出された浮遊物は、下流側浮遊物捕捉ユニット１５で捕捉される。
【００４０】
下流側浮遊物捕捉ユニット１５に浮遊物が溜まると、上流側浮遊物捕捉ユニット１１が浮遊物を放出していないことを確認し、上下回動手段７０のワイヤ７３を巻取り、底面捕捉部５０を正面捕捉部４０の方向へ回動させ、捕捉した浮遊物を挟持させる。浮遊物を挟持させた状態で移動手段８０のワイヤ８２を右に巻取り、浮遊物捕捉具１７を水路５の外に移動させ、捕捉した浮遊物の回収作業を行う。なお回収作業中には、上流側浮遊物捕捉ユニット１１が浮遊物を捕捉しているので、下流へ浮遊物が流出することはない。
【００４１】
下流側浮遊物捕捉ユニット１５の回収作業が完了すると、移動手段８０のワイヤ８２を左に巻取り、浮遊物捕捉具１７を水路５の中へ移動させ、上下回動手段７０のワイヤ７３を繰出し、底面捕捉部５０を下に回動させて再び浮遊物の捕捉準備をする。
【００４２】
再度、上流側浮遊物捕捉ユニット１１に浮遊物が溜まると、同様の要領で浮遊物捕捉具１３を左に回動させて浮遊物を放出し、下流側浮遊物捕捉ユニット１５で回収する。以上の動作を繰り返し、水の流れを停止させることなく浮遊物の捕捉と回収とを継続して行う。
【００４３】
以上のように第１実施形態の浮遊物回収装置１は、特殊な装置を用いることなく簡単な構造ながら、回動手段３０、上下回動手段７０、移動手段８０のウインチ３３、３４、７３、８３、８４を操作するだけで流れを停止させることなく捕捉した浮遊物を容易にかつ確実に回収することができる。
【００４４】
上流側浮遊物捕捉ユニット１１は、左右に９０度回動するので、ネットの表面と裏面とを交互に使用することが可能であり、これによりネット２３の逆洗を容易に行うことができ、より確実に捕捉した浮遊物を放出することができる。またこうした放出方法は、ネット２３が傷みにくい。下流側浮遊物捕捉ユニット１５は、移動する際、正面捕捉部４０と底面捕捉部５０とにより浮遊物を挟持するので、捕捉した浮遊物を漏出させることなく、より確実に回収することができる。
【００４５】
図６は、本発明の第２実施形態の浮遊物回収装置２の下流側浮遊物捕捉ユニット１６の伸縮動作を示す正面図である。図７は、図６の下流側浮遊物捕捉ユニット１６の正面捕捉部４５の部分断面図である。図１に示す第１実施形態の浮遊物回収装置１と同一の構成には同一の符号を付して説明を省略する。
【００４６】
浮遊物回収装置２は、第１実施形態の浮遊物回収装置１と基本的構成は同一であるが、下流側浮遊物捕捉ユニットの構成が異なる。第２実施形態の浮遊物回収装置２の下流側浮遊物捕捉ユニット１６は、幅方向に３段階に伸縮自在に分割された正面捕捉部４５と、正面捕捉部４５に連結され捕捉した浮遊物を正面捕捉部４５とで挟持すると共に幅方向にスライド自在な底面捕捉部５５とを備える浮遊物捕捉具１８と、底面捕捉部５５を上下に回動させる上下回動手段７０と、浮遊物捕捉具１８を伸縮させて移動させる伸縮手段９０と、幅方向に亘って架設され浮遊物捕捉具１８を支持する支持ワイヤ９５、９６とで構成され、浮遊物捕捉具１８を移動する際に、浮遊物捕捉具１８を伸縮させる。
【００４７】
正面捕捉部４５は、上下に配設され、３段階に伸縮する伸縮パイプ４６と、上下の伸縮パイプ４６を１段毎に左右支持する支持具４７と、伸縮パイプ４６と支持具４７とで形成される矩形部分の全面に張られるネット４３とで構成され、３段階に伸縮する。
【００４８】
伸縮パイプ４６は、収納される際に支持具４７が干渉しないように溝４８が設けられている。また支持具４７は、収納される際に支持具４７同士で干渉しないように伸縮パイプ４６の１段毎に段違いで取付けられている。
【００４９】
底面捕捉部５５は、連結具５７を有し、下方の伸縮パイプ４６に回動可能にかつスライド自在に連結される４つの棒体５６と、棒体５６に張られるネット５３とで構成され、回動して浮遊物を挟持すると共に、正面捕捉部４５の伸縮に連動してスライドする。
【００５０】
連結具５７は、円筒状で棒体５６の片端に設けられており、中空部に伸縮パイプ４６を通して連結される。また連結具５７の回動する角度は、９０度に規制されている。
【００５１】
伸縮手段９０は、伸縮パイプ４６に挿通され、左端のフック７１に固定されるワイヤ９１と、ワイヤ９１の反対側から左端のフック７１に固定されるワイヤ９２と、ワイヤ９１の巻取り及び繰出しを行う右ウインチ（図示省略）と、ワイヤ９２の巻取り及び繰出しを行う左ウインチ（図示省略）とで構成され、ワイヤ９１を巻取ると浮遊物捕捉具１８が収納され、ワイヤ９２を巻取ると浮遊物捕捉具１８が展開される。
【００５２】
次に浮遊物回収装置２の作用について説明する。上流側浮遊物捕捉ユニット１１については、第１実施形態の浮遊物回収装置１と同様であるので省略する。図６（ａ）は、伸縮手段９０のワイヤ９２を左に巻取り、前面捕捉部４５が展開され、上下回動手段７０のワイヤ７３を繰出し、底面捕捉部５０が自重で下がった状態を示す正面図である。図６（ｂ）は、ワイヤ７３を巻取り、底面捕捉部５５を持ち上げて正面捕捉部４５の方向へ回動させた状態を示す正面図である。図６（ｃ）は、伸縮手段９０のワイヤ９１を右に巻取り、浮遊物捕捉具１８が収納された状態を示す正面図である。
【００５３】
浮遊物を捕捉する際には、伸縮手段９０のワイヤ９２を左に巻取り、浮遊物捕捉具１８を展開し、さらにワイヤ９２を左に巻取ることで浮遊物捕捉具１８を水路５の中へ移動させる。また上下回動手段７０のウインチ７４でワイヤ７２を繰出し、浮遊物捕捉具１８が側面視においてＬ字状となるように底面捕捉部５５を回動させ、浮遊物を捕捉する。
【００５４】
浮遊物を回収する際には、上下回動手段７０のウインチ７４でワイヤ７３を巻取り、底面捕捉部５５を正面捕捉部４５の方向へ回動させ、捕捉した浮遊物を挟持させる。浮遊物を挟持させた状態で伸縮手段９０のワイヤ９１を右に巻取り、浮遊物捕捉具１８を収納し、さらにワイヤ９１を右に巻取ることで浮遊物捕捉具１８を水路５の外に移動させ、捕捉した浮遊物の回収を行う。
【００５５】
以上のように第２実施形態の浮遊物回収装置２は、下流側浮遊物捕捉ユニット１６を水路５の外に移動する際に浮遊物捕捉具を収縮することができ、全体の面積を縮小することができる。
【００５６】
以上第１、第２実施形態の浮遊物回収装置１、２を用いて、本発明の浮遊物回収装置を説明したが、本発明の浮遊物回収装置は、上記実施形態に限定されるものではない。第１、第２実施形態において、浮遊物回収装置１、２は、水路５の中における浮遊物の捕捉と回収とに用いられているが、本発明の浮遊物回収装置は、流体が流れる配管やダクト等にも適用することができる。
【００５７】
上流側浮遊物捕捉ユニット１１の回動手段３０のワイヤ３２は、フック３１に固定することで、浮遊物捕捉具１３の回動をより確実に行うことができる。またフック３１間のワイヤ３２に代えて、剛性のある棒体（図示省略）等を用いてもよい。さらにワイヤ３２とウインチ３３、３４とに代えて、棒体と棒体の回動手段（図示省略）とを用いてもよい。ただし、ワイヤ３２又は棒体等をフック３１に固定して浮遊物捕捉具を回動させる場合は、スムーズに回動するようにフック３１を回転自在にする必要がある。
【００５８】
前面捕捉部と底面捕捉部との側面に浮遊物の漏出を防止するネットやカバー等を設けることが好ましい。これにより下流側浮遊物捕捉ユニットを移動する際の浮遊物の漏出をより確実に防止することができる。
【００５９】
また下流側浮遊物捕捉ユニットのヒンジは、底面捕捉部が自重で下がらない場合を想定し、強制的に下方に回動させるバネ機構（図示省略）を付加してもよい。
【００６０】
下流側の浮遊物捕捉具のネットは、Ｓ字フック（図示省略）等で係止する方式や、枠体に切り込みを設けて上部から差し込む方式にすることで、回収作業をネットの交換だけで済ますことができる。特に第２実施形態の浮遊物捕捉具１８は、浮遊物の回収作業時には収納されてネット５３が重なった状態なので、交換方式のメリットが大きい。ただし交換方式には、浮遊物の捕捉中にネットが外れたり、隙間ができたりする恐れがあるので、その対策が必要であり、部品点数が増える。
【００６１】
なお本発明の浮遊物回収装置を構成する構成物の数や材質は、特に限定されるものではなく、使用する環境に応じて適宜決めればよい。
【符号の説明】
【００６２】
１、２                          浮遊物回収装置
５                              水路
１１                            上流側浮遊物捕捉ユニット
１３、１７、１８                浮遊物捕捉具
１５、１６                      下流側浮遊物捕捉ユニット
２１                            支柱
３０                            回動手段
４０                            正面捕捉部
５０                            底面捕捉部
７０                            上下回動手段
８０                            移動手段
９０                            伸縮手段
３１、７１、７２                フック
３２、７３、８２、９１、９２    ワイヤ
３３、３４、７４、８３、８４    ウインチ
【図１】
2014125755.tif 000003
【図２】
2014125755.tif 000004
【図３】
2014125755.tif 000005
【図４】
2014125755.tif 000006
【図５】
2014125755.tif 000007
【図６】
2014125755.tif 000008
【図７】
2014125755.tif 000009